(57)【要約】【課題】排紙を伴う様々な装置から排出される用紙を保持できる汎用の用紙保持装置を提供する。【解決手段】例えば、画像形成装置のように用紙の排出を伴う装置の排出側に隣接配置して使用する汎用の用紙保持装置１であって、前記装置から排出される用紙を取り込み搬送する搬送部（１５、２０、３０、４０）と、前記搬送部（１５、２０、３０、４０）の高さを変更可能な脚部７０とを備え、前記搬送部（１５、２０、３０、４０）の前記装置から用紙を受け入れる入口ユニット１０は、所定の範囲で上下に揺動して前記装置の用紙の排出口に合わせて高さ調整可能である。【選択図】    図１Ａ
2012250804.tif 000002
【特許請求の範囲】
【請求項１】
用紙の排出を伴う装置の排出側に配置して、排出される用紙を保持する用紙保持装置であって、
前記装置から排出される用紙を受け入れて搬送する搬送部と、
前記搬送部の高さを変更可能な脚部と、
を備え、
前記搬送部の、前記装置から用紙を受け入れる入口部は、所定の範囲で上下に移動可能であることを特徴とする用紙保持装置。
【請求項２】
請求項１に記載された用紙保持装置において、
前記入口部は、所定の基点を備え、当該基点を基準に移動することを特徴とする用紙保持装置。
【請求項３】
請求項１又は２に記載された用紙保持装置において、
前記入口部に用紙があるか否かの信号を出力する入口センサと、
前記搬送部の排紙端部に配置され用紙があるか否かの信号を出力する排紙センサと、
を備え、
前記入口センサと前記排紙センサがオフの状態が所定時間継続したとき、前記搬送部で用紙を搬送する搬送手段を駆動するモータの駆動をオフすること、
を特徴とする用紙保持装置。
【請求項４】
請求項３に記載された用紙保持装置において、
前記モータの駆動がオフの状態において、前記入口センサのオンに応じて前記モータを駆動すること、
を特徴とする用紙保持装置。
【請求項５】
請求項４に記載された用紙保持装置において、
前記モータの駆動オフの状態が所定時間継続したとき、予め定めた低電力モードに移行するよう動作モードを切り替えること、
を特徴とする用紙保持装置。
【請求項６】
請求項１ないし５のいずれかに記載された用紙保持装置において、
前記搬送部は、入口部で受け入れた用紙を排紙トレイに搬送する搬送路と、前記用紙を用紙保持装置の機外に排出する搬送路と、
前記排紙トレイに搬送する搬送路と機外に排出する搬送路を切り替える搬送路切替部と、を備えていること、
を特徴とする用紙保持装置。
【請求項７】
請求項６に記載された用紙保持装置において、
前記排紙トレイの満杯を検知する満杯センサを備え、
前記満杯センサのオンにより、前記搬送路切替部により前記搬送路を前記排紙トレイに搬送する搬送路から機外に排出する搬送路に切り替えること、
を特徴とする用紙保持装置。
【請求項８】
請求項１ないし７のいずれかに記載された用紙保持装置において、
前記搬送路における用紙搬送速度を任意に設定する手段を備えたこと、
を特徴とする用紙保持装置。
【発明の詳細な説明】
【技術分野】
【０００１】
本発明は、画像形成装置等の排紙を伴う装置に広く適用でき、そこから排出された用紙を保持する用紙保持装置に関する。
【背景技術】
【０００２】
例えば画像形成装置は大量の印刷物の出力が可能であるが、画像形成装置に搭載されている排紙トレイの保持容量は通常５０枚程度であり、大量の印刷を行う場合には容量が不足する。また、搭載された排紙トレイにおける用紙の保持方法によってはページ順が狂う場合がある。即ち、排出された用紙をその先端で位置合わせする場合には、大小の用紙サイズが混在するとページ順が狂うことがある。
【０００３】
このような事情から、これまで外付けのスタッカが開発されてきている。例えば、特許文献１には、リンク機構で画像形成装置に接続され、そこから排出された用紙を保持するようにしたスタッカが記載されている。
このスタッカは、画像形成装置に搭載された排紙トレイよりも大量に用紙を保持することができる。
また、特許文献２には、サイズが異なる用紙が混在してもページ順が狂わないような保存方法でしかも大量に用紙を保存できるようにしたスタッカが記載されている。
【０００４】
しかしながら、これらのスタッカは、いずれも画像形成装置に直接取り付けて用いるものであって、予め接続対象となる画像形成装置が限定されているため汎用性がない。
そのため、印刷業者のように複数の画像形成装置を備えているユーザの要望、即ち、様々な画像形成装置から排出される印刷物を一台又は一種の用紙保持装置で保持したいというユーザの要望には応えることができない。
【発明の概要】
【発明が解決しようとする課題】
【０００５】
このように、従来の排紙のための外付けのスタッカ（用紙保持装置）は、用紙を排出する特定の装置に合わせて設計されているため、これを汎用のものとして用いることはできない。
そこで、本発明は、排紙を伴う様々な装置に広く適用できるように、前記装置とは独立して作動でき、かつ前記装置の排紙位置に合わせて位置調整を可能にした用紙保持装置を得ることを目的とする。
【課題を解決するための手段】
【０００６】
本発明は、用紙の排出を伴う装置の排出側に配置して、排出される用紙を保持する用紙保持装置であって、前記装置から排出される用紙を受け入れて搬送する搬送部と、前記搬送部の高さを変更可能な脚部と、を備え、前記搬送部の、前記装置から用紙を受け入れる入口部は、所定の範囲で上下に移動可能であることを特徴とする。
【発明の効果】
【０００７】
本発明によれば、用紙保持装置は、排紙を伴う様々な装置の排紙位置に合わせて位置調整可能であり、しかも前記装置とは独立して作動するため、前記様々な装置に広く適用可能である。
【図面の簡単な説明】
【０００８】
【図１Ａ】本発明の実施形態に係る用紙保持装置の一部を断面で示した側面図である。
【図１Ｂ】本発明の実施形態に係る用紙保持装置の正面図である。
【図２】入口ユニットの断面拡大図である。図２Ａは入口ユニットが水平な状態を、図２Ｂは入口ユニットの下限位置を、また、図２Ｃは入口ユニットの上限位置を示している。
【図３】本用紙保持装置の制御部の構成を模式的に示す図である。
【図４】搬送路切替部を示す拡大図であって、図４ＡはソレノイドがＯＦＦの状態を、図４ＢはソレノイドがＯＮの状態をそれぞれ示す。
【図５】画像形成装置に本用紙保持装置を設置した状態を示している。
【図６】別の画像形成装置に本用紙保持装置を設置した状態を示している。
【図７】本実施形態に係る用紙保持装置の一連の動作の手順を示すフロー図である。
【発明を実施するための形態】
【０００９】
本発明の用紙保持装置を、その実施形態について図面を参照して説明する。
図１は本発明の実施形態に係る用紙保持装置を示す図面である。図１Ａは一部を断面で示したその側面図であり、図１Ｂはその正面図である。
本用紙保持装置１は、排紙を伴う装置（ここでは画像形成装置を例に採り説明する）の排紙側に配置して後処理装置として用い、前記装置から排紙される用紙の搬送部と排紙部である排紙トレイ５０を備えた上部機体２と、高さ調整可能な脚部７０を備えた下部機体３とを備えている。
【００１０】
上部機体２には、画像形成装置（例えば図５参照）の排紙部（図示せず）から排紙された印刷済用紙（以下、単に用紙という）を検知して、装置の始動のための用紙検知信号を出力する入口センサ１４を備え、用紙を機内に導入する入口ユニット１０（入口ユニット１０については図２を参照して後述する）と、入口ユニット１０から導入された用紙を搬送するため、第１の搬送路２０に沿って配置された複数の搬送ローラ２４（それぞれ駆動ローラと従動ローラとからなる、以下同じ）と、第１の搬送路２０に沿って搬送されてきた用紙を排紙トレイ５０に搬送する第２の搬送路３０と、前記用紙を機外に搬送する第３の搬送路４０と、第２又は第３の搬送路３０、４０を切り替えるソレノイド４５と、第２の搬送路３０に沿って配置された複数の搬送ローラ３２と、第２の搬送路３０の終端部に配置された排紙ローラ３４と、排紙ローラ３４に隣接して配置された第１の排紙センサ３６と、排紙トレイ５０に排紙された用紙が満杯になったことを検知する満杯センサ５５と、第３の搬送路４０に沿って配置された第２の排紙センサ４２と、搬送ローラ１８、２４、３２及び排紙ローラ３４を駆動するための例えば電動モータ６５及びその駆動力を各ローラ１８、２４、３２、３４に伝動するための伝動機構（図示せず）、及び前記各センサ１４、３６、４２、５５の出力信号に基づきモータ（電動モータ）６５などの制御やソレノイド４５の動作制御などを行う制御部６０を備えている。
【００１１】
用紙保持装置１の下部機体３には、その両外側面に高さ調整可能に構成された脚部７０が取り付けられている。脚部７０は例えば図１Ａに示すように、互いに平行に延びた一対の縦支持脚７２と縦支持脚７２の下端部間を連結する横枠７４からなり、横枠７４には前後（図中では左右）にキャスタ７５が取り付けられている。縦支持脚７２には等ピッチで複数のボルト挿通孔（丸孔）が設けられており、他方、用紙保持装置１の本体側（下部機体３）には、その所定位置に前記ボルト挿通孔に対応して同様のボルト装置孔（図示せず）が設けられている。下部機体３と脚部７０とは、上下方向の相対位置を調整した上で、それぞれ整合させたボルト挿通孔にボルト７６を挿入してナットを締結して固定されている。
【００１２】
なお、用紙保持装置１が用紙を収容したときの重量を考慮して互いに位置整合させた全てのボルト挿通孔にボルト７６を挿通して固定することが好ましい。また、脚部７０の高さ調整は、例えば用紙保持装置１を横倒した状態で下部機体３に対する脚部７０の位置決めを行い、それぞれのボルト挿通孔にボルト７６を挿通してナットを締結することで行う。その際、下部機体３からはみ出した脚部７０のボルト挿通孔にもボルト７６を挿通させてナットを締結させておくことで、次に脚部７０の高さ調整を行う時にそれらを使用することができる。また、脚部７０の連結伸縮機構はこれに限らず周知の他の伸縮連結機構を用いることもできる。
【００１３】
排紙トレイ５０はそれ自体は公知のいわゆるスライドタイプのものであって、側枠（図示せず）と底枠で構成される枠体と、両側枠間に摺動可能に配置された底板（延長ガイド）５２とから構成されている。
底板５２は、図示のようにその排紙先端側端部が裏面側に湾曲した湾曲面５２ａを備え、ユーザは、その湾曲面５２ａに指を掛けて押し引きすることで、排紙トレイ５０の排紙方向長さを調節することができる。即ち、例えば、用紙がＡ２サイズ以上の場合は、排紙トレイ５０の延長ガイド５２を伸ばして用紙を保持する。また、用紙がＡ２サイズ未満の場合は、排紙トレイ５０の延長ガイド５２をたたんで（短縮して）用紙を保持する。
【００１４】
図２は、入口ユニット１０の断面拡大図である。図２Ａは入口ユニット１０が水平な状態を、図２Ｂは入口ユニット１０の下限位置を、また、図２Ｃは入口ユニット１０の上限位置を示している。
入口ユニット１０は、断面略矩形の枠体から成り、その枠体の前端側に例えば画像形成装置の排紙部に対向することとなる入口ガイド１６と、後端側に導入した用紙の導入路１５となる平板状の上下板体が突出した形状をなしている。
即ち、入口ユニット１０は、図２Ａに示すように、画像形成装置の排紙部に向かって上下間隔が広い前端側から後端側の間隔が狭い導入路１５側に向かって傾斜したガイド面を上下に備えた入口ガイド１６と、入口ガイド１６に誘導されて画像形成装置の排紙部から進入してくる用紙を検知する入口センサ１４と、前述の導入路１５と、導入路１５に沿って配置され用紙を機内に引き込みかつ搬送するための搬送ローラ１８を備えている。
【００１５】
入口ユニット１０は、全体として基点となるピン１２の回りで所定角度範囲（図２Ｂから図２Ｃの範囲）内で旋回可能に構成されており、かつ任意の位置で停止できるように、ピン１２の回りに例えば制動部材を配置して、その抵抗で入口ユニット１０を任意の停止位置に保持することができる。或いは、用紙保持装置１の例えば側壁にピン１２を中心とする円弧に沿った溝（図示せず）を穿設し、入口ユニット１０に前記溝に嵌合するボルトを立設し、ボルトが前記溝内で移動できるようにしておき、ボルトを任意の位置で例えば蝶ナットでネジ止めして固定するなど他の周知の構成を採用することもできる。
【００１６】
用紙の導入路１５は、入口ユニット１０を通り抜けて後方側に突出するように設けられており、導入路１５の後端部の上下には、板体で構成され上下に開いた前端から後方に向かって上下間隔を狭めて第１の搬送路２０に続くガイド部２２が配置されている。これにより、入口ユニット１０が前記角度範囲内においてどの旋回位置に配置されていても、前記導入路１５から排出された用紙は、第１の搬送路２０に確実に引き渡され、そこで一対の搬送ローラ２４により搬送される。
【００１７】
第１の搬送路２０は、経路切替手段４５ｂ（図４）を備えたソレノイド４５近傍まで延びており、第１の搬送路２０はそこで第２の搬送路３０及び第３の搬送路４０に分岐している。
第２の搬送路３０にはそれに沿って複数、本実施形態では２つの搬送ローラ３２が配置され、かつその出口側端部には排紙ローラ３４と、第１の排紙センサ３６が配置されている。第２の搬送路３０で搬送された用紙は、排紙ローラ３４を経て用紙抑えガイド５４にガイドされて排紙トレイ５０上に排出される。
【００１８】
第３の搬送路４０には第２の排紙センサ４２が配置されており、かつ第３の搬送路４０に搬送された用紙は機外に排出される。
ここで、前記入口ユニット１０は本発明の入口部を、導入路１５と第１〜第３の搬送路２０〜４０は同搬送部を、かつソレノイド４５と経路切替手段４５ｂは同経路切替部を構成する。
【００１９】
入口センサ１４、第１の排紙センサ３６、第２の排紙センサ４２、満杯センサ５５は、いずれも用紙を検知するセンサであって、例えば発光素子と受光素子で構成されており、用紙が発光素子からの光（可視光、或いは可視光以外の光であってもよい）を遮断することにより紙の存在を検知する。或いは、各センサ１４、３６、４２、５５は物理的な接触により用紙を感知するものであってもよい。
【００２０】
図３は、本用紙保持装置の制御部（制御基板）６０の構成を模式的に示す図である。
制御部６０は、例えばマイクロコンピュータからなるコントローラ６１と、それぞれコントローラ６１に接続される操作部６２と、第１の駆動部と、第２の駆動部と、入口センサ１４と、第１の排紙センサ３６と、第２の排紙センサ４２と、満杯センサ５５とを備えている。
【００２１】
操作部６２は、例えば、用紙保持装置１の電源のＯＮ／ＯＦＦ等の操作、或いは後述する低電力モードへの移行時のタイミングの設定、或いは、画像形成装置等の排紙を伴う装置の排出スピードに合わせて用紙保持装置の搬送スピードの設定等を行う。
第１の駆動部はここではモータ６５であって、コントローラ６１によりその動作タイミングが制御され、用紙の取り込みから第１、第２の搬送路２０、３０、さらに排紙トレイ５０までの用紙の搬送、或いは第１、第３の搬送路２０、４０における用紙の搬送を制御する。
第２の駆動部はソレノイド４５であって、用紙の搬送路を第１の搬送路２０から第２又は第３の搬送路３０、４０に切り替えるための経路切替手段４５ｂを動作させる。
【００２２】
図４は、搬送路切替部を示す拡大図であって、図４Ａはソレノイド４５がＯＦＦの状態を、また、図４Ｂはソレノイド４５がＯＮの状態をそれぞれ示している。ソレノイド４５がＯＦＦの状態では、図示のようにソレノイド４５のアクチュエータ４５ａが伸張した状態にあり、アクチュエータ４５ａの先端部にピン４５ｄで遊動可能に連結された逆Ｌ型の経路切替手段４５ｂは、その一端に枢着されたピン４５ｃを中心に反時計方向に回転して搬送路内に突出した作動位置にある。この作動位置では、第１の搬送路２０から搬送されてきた用紙の背面が経路切替手段４５ｂに当接して方向転換されて、第２の搬送路３０に導入され、最終的に排紙トレイ５０にまで搬送されそこに集積保持される。
【００２３】
排紙トレイ５０における用紙の集積が続き、排紙トレイ５０の満杯を検知する満杯センサ５５がＯＮになると、コントローラ６１の制御によりソレノイド４５がＯＮし、アクチュエータ４５ａがバネ力に抗して縮退し、それに伴い経路切替手段４５ｂは前記ピン４５ｃを中心に時計方向に回動して、搬送されて来る用紙に接触しない位置、つまり不作動位置に退却する。これにより第１の搬送路２０から搬送されてきた用紙は機外への搬送路である第３の搬送路４０に進み、機外に排出される。ここで、排紙トレイ５０から用紙が取り除かれて満杯センサ５５がＯＦＦになると、ソレノイド４５はＯＦＦになり、経路切替手段４５ｂは再び作動位置に戻る。
【００２４】
図５、６は、画像形成装置の排紙部側に隣接して本用紙保持装置を配置した状態を示している。 
本用紙保持装置１をキャスタ７５で移動させて、画像形成装置Ｍの排紙側に隣接配置する。ここで、或いはそれ以前に脚部７０の高さを調整して用紙保持装置の高さを大まかに設定しておく。画像形成装置Ｍの排紙部に対する入口ユニット１０の上下位置の最終的な設定は、その回転位置を調整して行う。図５、６は、それぞれ用紙保持装置１を異なる上下位置設定した状態を示している。
【００２５】
図５に示す画像形成装置Ｍは、その排紙部が比較的高い位置にある例である。ここで、画像形成装置Ｍの構成自体は、本発明に直接関係はないが、この画像形成装置Ｍは、給紙トレイ１００又はロール紙１１０から供給された用紙（ロール紙の場合は所定の寸法に切断される）Ｐは、従来の画像形成装置と同様に複数の搬送ローラにより用紙搬送路１４０に沿って搬送されて、感光体１２０のところで現像され、定着ローラ１３０によって定着された後、排紙される。
図６に示す画像形成装置Ｍは、排紙部の位置が比較的低い例である。画像形成装置Ｍの構成は、この例ではロール紙１１０が上下二段に配置されている。その他の構成は図５に示すものと変わらない。
【００２６】
本実施形態の用紙保持装置１は、既に述べたように、排紙部の高さが異なる画像形成装置（より一般的には排紙を伴う装置）の排紙位置に合わせて脚部７０の下部機体３から突出する長さを調整することで入口ユニット１０の高さを大まかに調整し、その後に入口ユニット１０の旋回角度を微調整して画像形成装置Ｍの用紙排出口に入口ガイド１６を合わせて設置する。
【００２７】
以上のようにして、本用紙保持装置１を設置した後、画像形成装置Ｍから用紙Ｐが排出されると、排出された用紙Ｐは、用紙保持装置１の入口ガイド１６に案内されてその先端が入口センサ１４に到達し、入口センサ１４は用紙を検知する。用紙を検知した入口センサ１４は用紙検知信号を発信する。コントローラ６１（図３）は入口センサ１４の用紙検知信号を受信するとモータ６５を作動して搬送ローラ１８、２４、３２、排紙ローラ３４を駆動し、用紙を第１の搬送路２０、第２の搬送路３０を搬送して排紙トレイ５０まで排出する。
【００２８】
排出した用紙は、既に述べたように、用紙抑えガイド５４にガイドされて排紙トレイ５０上に排出され、その際、用紙の後端が第１の排紙センサ３６を通過して同センサ３６をＯＦＦすると、コントローラ６１（図３）は入口センサ１４の用紙検知信号の有無をチェックし、用紙が無いと判断すると、その時点からタイマー（図示せず）を作動してタイマーの始動から一定時間経過後、モータ６５を停止させる制御を行う。なお、タイマーは、例えば内部クロックを計数して計時する。
その後、モータ６５を停止からさらに一定時間経過したとき、駆動系の電力を停止させて低電力モードへ移行する。なお、低電力モードにおいては、少なくとも入口センサ１４の機能を維持させておくが、その他の動作状態に維持する機能は任意に選択可能である。
【００２９】
図７は、以上で説明した用紙保持装置の一連の動作の手順を示すフロー図である。
用紙保持動作をスタートさせる場合、電源を投入すると、まず、コントローラ６１は入口センサ１４のＯＮ・ＯＦＦをチェックする（Ｓ１０１）、ここで、入口センサ１４がＯＮ、つまり、入口センサ１４が用紙Ｐを検知すると（Ｓ１０１、ＯＮ）、搬送ローラ１８、２４、３２、排紙ローラ３４を始動させる（Ｓ１０２）。次に、コントローラ６１は満杯センサ５５をチェックし（Ｓ１０３）、満杯センサ５５がＯＦＦ、つまり排紙トレイ５０がまだ満杯ではないときは、ソレノイド４５を作動させず、したがって、経路切替手段４５ｂを第１の搬送路２０と第２の搬送路３０間で経路上に突出させた作動位置に維持して、用紙Ｐを第１の搬送路２０から第２の搬送路３０に誘導し（Ｓ１０４）、第２の搬送路３０から排紙トレイ５０に排出する（Ｓ１０５）、用紙Ｐが排紙されると第１の排紙センサ３６がＯＦＦし（Ｓ１０６）、コントローラ６１は入口センサ１４のＯＮ／ＯＦＦをチェックする（Ｓ１０７）。
【００３０】
ステップＳ１０３において、満杯センサ５５が排紙トレイ５０の満杯を検知してＯＮになったときは（Ｓ１０３、ＯＮ）、コントローラ６１はソレノイド４５を動作させて、ソレノイド４５のアクチュエータ４５ａを縮退させ、経路切替手段４５ｂを不作動位置に切り替える（Ｓ１１２）。この切り替えにより、用紙Ｐは第１の搬送路２０から第３の搬送路４０に搬送され（Ｓ１１３）、更に、第３の搬送路４０から機外へ排出される（Ｓ１１４）。ここで、排紙に伴い第２の排紙センサ４２がＯＦＦしたときは（Ｓ１１５）、ステップＳ１０７の入口センサ１４のＯＮ／ＯＦＦのチェックに進む。
【００３１】
ステップＳ１０７において、入口センサ１４がＯＮである（Ｓ１０７、ＯＮ）と、ステップＳ１０３に戻り、コントローラ６１は既に述べたステップＳ１０３以後の処理を実行する。
他方、入口センサ１４がＯＦＦである（Ｓ１０７、ＯＦＦ）、つまり、入口センサ１４が用紙を検出していないときは、コントローラ６１はタイマーの計時を開始して、一定時間が経過したときは（Ｓ１０８、ＹＥＳ）、コントローラ６１はモータ６５を停止し（Ｓ１０９）、その際、入口センサ１４のＯＮ・ＯＦＦをチェックし、ＯＮであれば、ステップＳ１０２に戻ってステップＳ１０２以下の処理を実行する。ＯＦＦであれば、タイマーでさらに計時して一定時間経過したとき駆動系電源をＯＦＦして、低電力モードへ移行し（Ｓ１１６）、待機状態で入口センサ１４が用紙を検知するのを待つ。
【００３２】
以上説明したように、本実施形態に係る用紙保持装置によれば、発明の効果に加えて、
（i）インターフェイスがなく、制御が画像形成装置などの排紙を伴う装置と独立しているので排紙を伴う装置に幅広く対応でき、汎用性がある。また、独立しているため、前記装置から用紙が搬送されたかどうかは分からなくとも、用紙が搬送されたときは、用紙保持装置１の入口センサ１４で用紙を検知できるので、その後の用紙搬送及び収容動作を自動で行うことができる。
【００３３】
（ii） 画像形成装置の用紙の排出スピードに合わせるために、用紙保持装置のスピードを調整することができる。
（iii）センサが一定時間、搬送された用紙を検知しない場合には、モータを停止することができるので、騒音や、電力を抑えることができる。
（iv）モータが停止してから、入口センサ１４が一定時間、用紙を検出しない場合に、駆動系の電力を停止して低電力モードに移行できるようにしているので、消費電力を低減することができる。
【００３４】
なお、以上の説明では、用紙は印刷済み用紙であるとしているが、必ずしもこれに限定されない。例えば読み取り後の原稿用紙であってもよい。
また、入口ユニット１０はピン１２を中心に揺動するものとして説明したが、これに限定されない。入口ユニット１０を前記ピン１２の位置を基点として上下に平行移動できるようにしてもよく、その場合、例えば、前記ガイド部２２を第１の搬送路２０に揺動可能に枢着して、入口ユニット１０の上下動に伴って揺動するようにしてもよい。
【符号の説明】
【００３５】
１・・・用紙保持装置、２・・・上部機体、３・・・下部機体、１０・・・入口ユニット、１２・・・ピン、１４・・・入口センサ、１５・・・導入路、１６・・・入口ガイド、１８・・・搬送ローラ、２０・・・第１の搬送路、２２・・・ガイド部、２４・・・搬送ローラ、３０・・・第２の搬送路、３２・・・搬送ローラ、３６・・・第１の排紙センサ、４０・・・第３の搬送路、４２・・・第２の排紙センサ、４５・・・ソレノイド、４５ｂ・・・経路切替手段、５０・・・排紙トレイ、５５・・・満杯センサ、６０・・・制御部、６１・・・コントローラ、６５・・・（電動）モータ、７０・・・脚部、７２・・・縦支持脚、７４・・・横枠、７６・・・ボルト。
【先行技術文献】
【特許文献】
【００３６】
【特許文献１】特開２００９−２６９７１１号公報
【特許文献２】特開２００２−１０４７１０号公報
【図１Ａ】
2012250804.tif 000003
【図１Ｂ】
2012250804.tif 000004
【図２】
2012250804.tif 000005
【図３】
2012250804.tif 000006
【図４】
2012250804.tif 000007
【図５】
2012250804.tif 000008
【図６】
2012250804.tif 000009
【図７】
2012250804.tif 000010